(57)【要約】      （修正有）【課題】ノイズの影響を下げることができる保護メガネを提供する。【解決手段】メガネフレーム１１を含み、メガネフレーム１１の中にはレンズチャンバ１２が上下に貫通するように設けられ、レンズチャンバ１２の中には保護レンズ１３が固定的に設けられ、メガネフレーム１１の下側の左右両端には反転機構１０１が対称的に設けられ、反転機構１０１の下側には伸縮機構１０２が設けられ、伸縮機構１０２の下側には回転位置固定装置１０３が設けられ、反転機構１０１は本装置をかけることに便利であり、同時にかける時に変形しすぎて壊れることを防ぐこともでき、伸縮機構１０２は回転位置固定装置１０３の位置固定を解除することができ、これによりメガネフレーム１１を垂直状態や水平状態に固定でき、反転機構１０１はメガネフレーム１１の下端面の左右両端に左右対称に設けられた固定ロッドを含む。【選択図】図１
2020184052.tif 000002
【特許請求の範囲】
【請求項１】
正面視で、メガネフレームを含み、前記メガネフレームの中にはレンズチャンバが上下に貫通するように設けられ、前記レンズチャンバの中には保護レンズが固定的に設けられ、前記メガネフレームの下側の左右両端には反転機構が対称的に設けられ、前記反転機構の下側には伸縮機構が設けられ、前記伸縮機構の下側には回転位置固定装置が設けられ、前記反転機構は本装置をかけることに便利であり、同時にかける時に変形しすぎて壊れることを防ぐこともでき、前記伸縮機構は前記回転位置固定装置の位置固定を解除することができ、これにより前記メガネフレームを垂直状態や水平状態に固定でき、前記反転機構は前記メガネフレームの下端面の左右両端に左右対称に設けられた固定ロッドを含み、前記固定ロッドの中には復帰チャンバが設けられ、前記復帰チャンバの中には復帰ブロックがスライドできるように設けられ、前記復帰ブロックの上端と前記復帰チャンバの上壁との間には復帰バネが固定的に連結され、前記復帰チャンバのうち中心から離れた側には後合わせに開口したガイドスライドチャンバが連通するように設けられ、前記ガイドスライドチャンバの中には前記復帰ブロックに固定的に連結されたガイドスライドロッドがスライドできるように設けられ、前記ガイドスライドロッドのうち中心から離れた一端が外部に伸びており、且つ前記ガイドスライドロッドのうち中心から離れた一端には仕切り板が固定的に設けられ、前記固定ロッドの下端面には固定ブロックが前後に対称的に固定的に設けられ、前記固定ブロックの間には回転ロッドが回転できるように設けられていることを特徴とするノイズの影響を下げることができる保護メガネ。
【請求項２】
前記伸縮機構は前記回転ロッドの下側に設けられた連結ロッドを含み、前記連結ロッドの中には伸縮チャンバが設けられ、前記伸縮チャンバの中には伸縮板がスライドできるように設けられ、前記伸縮チャンバの上端と前記伸縮チャンバの上壁との間には圧縮バネが固定的に連結され、前記伸縮チャンバの上側には上方に開口した開口が連通するように設けられ、前記伸縮板の上端には伸縮ロッドが固定的に設けられ、前記伸縮ロッドの上端が前記開口を貫いて前記回転ロッドの下端に固定的に連結されていることを特徴とする請求項１に記載のノイズの影響を下げることができる保護メガネ。
【請求項３】
前記回転位置固定装置は前記連結ロッドの下側に設けられた防音イヤーマフを含み、前記防音イヤーマフの外円周面の中には外に開口した環状回転チャンバが設けられ、前記環状回転チャンバの円周壁には環状の回転リングが回転できるように設けられ、前記連結ロッドの下端が前記回転リングの上端に固定的に連結され、前記伸縮チャンバの下壁には前記回転リングを貫いた引っ掛かりロッドチャンバが連通するように設けられ、前記引っ掛かりロッドチャンバが下方に開口しており、前記引っ掛かりロッドチャンバの中には上端が前記伸縮板の下端面に固定的に連結された引っ掛かりロッドがスライドできるように設けられ、前記環状回転チャンバの内円周壁の上端のうち円心に向くところには縦引っ掛かり溝が連通するように設けられ、前記環状回転チャンバの内円周壁の前端のうち円心に向くところには水平引っ掛かり溝が連通するように設けられ、前記引っ掛かりロッドは前記縦引っ掛かり溝や前記水平引っ掛かり溝の中に引っ掛かって縦や水平の位置固定を行うことができ、前記防音イヤーマフの中には対称中心に向いて開口したノイズ低減チャンバが設けられ、前記防音イヤーマフのうち中心に近接した側の端面には環状の柔らかなクッションが固定的に設けられていることを特徴とする請求項１に記載のノイズの影響を下げることができる保護メガネ。
【発明の詳細な説明】
【技術分野】
【０００１】
本発明は安全防護技術分野を取り上げて、具体的にはノイズの影響を下げることができる保護メガネである。
【背景技術】
【０００２】
工場で作業するとき、保護具で人体を保護する必要があるが、一部の工場では眩しい光や耳障りなノイズがあるため、保護メガネをかけて防音イヤーマフをつける必要があり、しかし、同時に両者を着用すると耳が痛くなり、従って、ノイズの影響を下げることができる保護メガネが必要とされ、本装置は保護メガネと防音イヤーマフとを一つにし、場合によって保護メガネを使用でき、また、防音イヤーマフを外へ反転させることもでき、より便利につけられる。
【先行技術文献】
【特許文献】
【０００３】
【特許文献１】中国特許出願公開第１０６７２６１２７号明細書
【発明の概要】
【発明が解決しようとする課題】
【０００４】
本発明の目的はノイズの影響を下げることができる保護メガネを提供し、それは上記の現在の技術中の問題を解決できる。
【課題を解決するための手段】
【０００５】
本発明のノイズの影響を下げることができる保護メガネは、メガネフレームを含み、前記メガネフレームの中にはレンズチャンバが上下に貫通するように設けられ、前記レンズチャンバの中には保護レンズが固定的に設けられ、前記メガネフレームの下側の左右両端には反転機構が対称的に設けられ、前記反転機構の下側には伸縮機構が設けられ、前記伸縮機構の下側には回転位置固定装置が設けられ、前記反転機構は本装置をかけることに便利であり、同時にかける時に変形しすぎて壊れることを防ぐこともでき、前記伸縮機構は前記回転位置固定装置の位置固定を解除することができ、これにより前記メガネフレームを垂直状態や水平状態に固定でき、前記反転機構は前記メガネフレームの下端面の左右両端に左右対称に設けられた固定ロッドを含み、前記固定ロッドの中には復帰チャンバが設けられ、前記復帰チャンバの中には復帰ブロックがスライドできるように設けられ、前記復帰ブロックの上端と前記復帰チャンバの上壁との間には復帰バネが固定的に連結され、前記復帰チャンバのうち中心から離れた側には後合わせに開口したガイドスライドチャンバが連通するように設けられ、前記ガイドスライドチャンバの中には前記復帰ブロックに固定的に連結されたガイドスライドロッドがスライドできるように設けられ、前記ガイドスライドロッドのうち中心から離れた一端が外部に伸びており、且つ前記ガイドスライドロッドのうち中心から離れた一端には仕切り板が固定的に設けられ、前記固定ロッドの下端面には固定ブロックが前後に対称的に固定的に設けられ、前記固定ブロックの間には回転ロッドが回転できるように設けられ、前記仕切り板の下端と前記回転ロッドの左側とが当接しており、前記回転ロッドは自在に内部へ反転することができ、前記回転ロッドを外部に回転させるには前記仕切り板を上へ回す必要がある。
【０００６】
更の技術プラン、前記伸縮機構は前記回転ロッドの下側に設けられた連結ロッドを含み、前記連結ロッドの中には伸縮チャンバが設けられ、前記伸縮チャンバの中には伸縮板がスライドできるように設けられ、前記伸縮チャンバの上端と前記伸縮チャンバの上壁との間には圧縮バネが固定的に連結され、前記伸縮チャンバの上側には上方に開口した開口が連通するように設けられ、前記伸縮板の上端には伸縮ロッドが固定的に設けられ、前記伸縮ロッドの上端が前記開口を貫いて前記回転ロッドの下端に固定的に連結され、手で前記メガネフレームを持ち上げることで前記伸縮板を上昇連動させることができる。
【０００７】
更の技術プラン、前記回転位置固定装置は前記連結ロッドの下側に設けられた防音イヤーマフを含み、前記防音イヤーマフの外円周面の中には外に開口した環状回転チャンバが設けられ、前記環状回転チャンバの円周壁には環状の回転リングが回転できるように設けられ、前記連結ロッドの下端が前記回転リングの上端に固定的に連結され、前記伸縮チャンバの下壁には前記回転リングを貫いた引っ掛かりロッドチャンバが連通するように設けられ、前記引っ掛かりロッドチャンバが下方に開口しており、前記引っ掛かりロッドチャンバの中には上端が前記伸縮板の下端面に固定的に連結された引っ掛かりロッドがスライドできるように設けられ、前記環状回転チャンバの内円周壁の上端のうち円心に向くところには縦引っ掛かり溝が連通するように設けられ、前記環状回転チャンバの内円周壁の前端のうち円心に向くところには水平引っ掛かり溝が連通するように設けられ、前記引っ掛かりロッドは前記縦引っ掛かり溝や前記水平引っ掛かり溝の中に引っ掛かって縦や水平の位置固定を行うことができ、前記防音イヤーマフの中には対称中心に向いて開口したノイズ低減チャンバが設けられ、前記防音イヤーマフのうち中心に近接した側の端面には環状の柔らかなクッションが固定的に設けられている。
【発明の効果】
【０００８】
本発明は構造が簡単で、操作が便利であり、本装置は保護メガネと防音イヤーマフとを一つにし、場合によって保護メガネを使用でき、また、防音イヤーマフを外へ反転させることもでき、より便利につけられる。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のノイズの影響を下げることができる保護メガネの内部全体構成略図
【図２】図２は図１のＡ―Ａ方向の構成略図
【図３】図３は図１のＢの拡大略図
【図４】図４は図１のＣの拡大略図
【図５】図５は図１のＤ―Ｄ方向の構成略図
【発明を実施するための形態】
【００１１】
図１〜５を参照し、本発明のノイズの影響を下げることができる保護メガネは、メガネフレーム１１を含み、前記メガネフレーム１１の中にはレンズチャンバ１２が上下に貫通するように設けられ、前記レンズチャンバ１２の中には保護レンズ１３が固定的に設けられ、前記メガネフレーム１１の下側の左右両端には反転機構１０１が対称的に設けられ、前記反転機構１０１の下側には伸縮機構１０２が設けられ、前記伸縮機構１０２の下側には回転位置固定装置１０３が設けられ、前記反転機構１０１は本装置をかけることに便利であり、同時にかける時に変形しすぎて壊れることを防ぐこともでき、前記伸縮機構１０２は前記回転位置固定装置１０３の位置固定を解除することができ、これにより前記メガネフレーム１１を垂直状態や水平状態に固定でき、前記反転機構１０１は前記メガネフレーム１１の下端面の左右両端に左右対称に設けられた固定ロッド１４を含み、前記固定ロッド１４の中には復帰チャンバ１５が設けられ、前記復帰チャンバ１５の中には復帰ブロック１６がスライドできるように設けられ、前記復帰ブロック１６の上端と前記復帰チャンバ１５の上壁との間には復帰バネ１７が固定的に連結され、前記復帰チャンバ１５のうち中心から離れた側には後合わせに開口したガイドスライドチャンバ２０が連通するように設けられ、前記ガイドスライドチャンバ２０の中には前記復帰ブロック１６に固定的に連結されたガイドスライドロッド２１がスライドできるように設けられ、前記ガイドスライドロッド２１のうち中心から離れた一端が外部に伸びており、且つ前記ガイドスライドロッド２１のうち中心から離れた一端には仕切り板２２が固定的に設けられ、前記固定ロッド１４の下端面には固定ブロック２３が前後に対称的に固定的に設けられ、前記固定ブロック２３の間には回転ロッド２４が回転できるように設けられ、前記仕切り板２２の下端と前記回転ロッド２４の左側とが当接しており、前記回転ロッド２４は自在に内部へ反転することができ、前記回転ロッド２４を外部に回転させるには前記仕切り板２２を上へ回す必要がある。
【００１２】
有益に、前記伸縮機構１０２は前記回転ロッド２４の下側に設けられた連結ロッド２５を含み、前記連結ロッド２５の中には伸縮チャンバ２６が設けられ、前記伸縮チャンバ２６の中には伸縮板２７がスライドできるように設けられ、前記伸縮チャンバ２６の上端と前記伸縮チャンバ２６の上壁との間には圧縮バネ２８が固定的に連結され、前記伸縮チャンバ２６の上側には上方に開口した開口２９が連通するように設けられ、前記伸縮板２７の上端には伸縮ロッド３０が固定的に設けられ、前記伸縮ロッド３０の上端が前記開口２９を貫いて前記回転ロッド２４の下端に固定的に連結され、手で前記メガネフレーム１１を持ち上げることで前記伸縮板２７を上昇連動させることができる。
【００１３】
有益に、前記回転位置固定装置１０３は前記連結ロッド２５の下側に設けられた防音イヤーマフ３１を含み、前記防音イヤーマフ３１の外円周面の中には外に開口した環状回転チャンバ３２が設けられ、前記環状回転チャンバ３２の円周壁には環状の回転リング３３が回転できるように設けられ、前記連結ロッド２５の下端が前記回転リング３３の上端に固定的に連結され、前記伸縮チャンバ２６の下壁には前記回転リング３３を貫いた引っ掛かりロッドチャンバ３４が連通するように設けられ、前記引っ掛かりロッドチャンバ３４が下方に開口しており、前記引っ掛かりロッドチャンバ３４の中には上端が前記伸縮板２７の下端面に固定的に連結された引っ掛かりロッド３５がスライドできるように設けられ、前記環状回転チャンバ３２の内円周壁の上端のうち円心に向くところには縦引っ掛かり溝３６が連通するように設けられ、前記環状回転チャンバ３２の内円周壁の前端のうち円心に向くところには水平引っ掛かり溝３７が連通するように設けられ、前記引っ掛かりロッド３５は前記縦引っ掛かり溝３６や前記水平引っ掛かり溝３７の中に引っ掛かって縦や水平の位置固定を行うことができ、前記防音イヤーマフ３１の中には対称中心に向いて開口したノイズ低減チャンバ３８が設けられ、前記防音イヤーマフ３１のうち中心に近接した側の端面には環状の柔らかなクッション３９が固定的に設けられている。
【００１４】
初期状態に、連結ロッド２５が縦状態にあり、メガネフレーム１１が防音イヤーマフ３１の上方に位置している。
【００１５】
かけるとき、仕切り板２２を回転ロッド２４の上方まで上へ押し、そして回転ロッド２４の下端を反対方向へ反転させ、そして手で防音イヤーマフ３１を持ち耳のところに置き、メガネフレーム１１を頭の上に置き、このとき回転ロッド２４を縦状態になるまでに内部へ反転させ、防音イヤーマフ３１で耳を包んできつく挟み、このとき仕切り板２２が復帰バネ１７の弾力により復帰し、
目を保護するとき、手でメガネフレーム１１を持ち上げ、固定ロッド１４と、回転ロッド２４と、伸縮ロッド３０とにより伸縮板２７を上へ引き、これにより引っ掛かりロッド３５を上へ移動連動させ、引っ掛かりロッド３５を縦引っ掛かり溝３６から出し、このとき手でメガネフレーム１１を持ち、メガネフレーム１１を目の前に反転させて鼻に当て、このとき引っ掛かりロッド３４と水平引っ掛かり溝３７とが連通しており、手を放し、このとき引っ掛かりロッド３４が圧縮バネ２８の弾力により水平引っ掛かり溝３７の中に引っ掛かり、
本装置を収納するとき、直接に反対側へ防音イヤーマフ３１を反転させれば良いのである。
【００１６】
本発明の有益効果は：本発明は構造が簡単で、操作が便利であり、本装置は保護メガネと防音イヤーマフとを一つにし、場合によって保護メガネを使用でき、また、防音イヤーマフを外へ反転させることもでき、より便利につけられる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020184052.tif 000003
【図２】
2020184052.tif 000004
【図３】
2020184052.tif 000005
【図４】
2020184052.tif 000006
【図５】
2020184052.tif 000007
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
正面視で、メガネフレームを含み、前記メガネフレームの中にはレンズチャンバが上下に貫通するように設けられ、前記レンズチャンバの中には保護レンズが固定的に設けられ、前記メガネフレームの下側の左右両端には反転機構が対称的に設けられ、前記反転機構の下側には伸縮機構が設けられ、前記伸縮機構の下側には回転位置固定装置が設けられ、前記反転機構は本願発明をかけることに便利であり、また、かける時に変形しすぎて壊れることを防ぐこともでき、前記伸縮機構は前記回転位置固定装置の位置固定を解除することができ、これにより前記メガネフレームを垂直状態や水平状態に固定でき、前記反転機構は前記メガネフレームの下端面の左右両端に左右対称に設けられた固定ロッドを含み、前記固定ロッドの中には復帰チャンバが設けられ、前記復帰チャンバの中には復帰ブロックがスライドできるように設けられ、前記復帰ブロックの上端と前記復帰チャンバの上壁との間には復帰バネが固定的に連結され、前記復帰チャンバにおいて中心から離れた側にはガイドスライドチャンバが連通するように設けられ、前記ガイドスライドチャンバの中には前記復帰ブロックに固定的に連結されたガイドスライドロッドがスライドできるように設けられ、前記ガイドスライドロッドのうち中心から離れた一端が外部に伸びており、且つ前記ガイドスライドロッドのうち中心から離れた一端には仕切り板が固定的に設けられ、前記固定ロッドの下端面には固定ブロックが前後に対称的に固定的に設けられ、前記固定ブロックの間には回転ロッドが回転できるように設けられ、
前記伸縮機構は前記回転ロッドの下側に設けられた連結ロッドを含み、前記連結ロッドの中には伸縮チャンバが設けられ、前記伸縮チャンバの中には伸縮板がスライドできるように設けられ、前記伸縮板の上端と前記伸縮チャンバの上壁との間には圧縮バネが固定的に連結され、前記伸縮チャンバの上側には上方に開口した開口が連通するように設けられ、前記伸縮板の上端には伸縮ロッドが固定的に設けられ、前記伸縮ロッドの上端が前記開口を貫いて前記回転ロッドの下端に固定的に連結され、
前記回転位置固定装置は前記連結ロッドの下側に設けられた防音イヤーマフを含み、前記防音イヤーマフの外円周面の中には外に開口した環状回転チャンバが設けられ、前記環状回転チャンバの円周壁には環状の回転リングが回転できるように設けられ、前記連結ロッドの下端が前記回転リングの上端に固定的に連結され、前記伸縮チャンバの下壁には前記回転リングを貫いた引っ掛かりロッドチャンバが連通するように設けられ、前記引っ掛かりロッドチャンバが下方に開口しており、前記引っ掛かりロッドチャンバの中には上端が前記伸縮板の下端面に固定的に連結された引っ掛かりロッドがスライドできるように設けられ、前記環状回転チャンバの内円周壁の上端のうち円心に向くところには縦引っ掛かり溝が連通するように設けられ、前記環状回転チャンバの内円周壁の前端のうち円心に向くところには水平引っ掛かり溝が連通するように設けられ、前記引っ掛かりロッドは前記縦引っ掛かり溝や前記水平引っ掛かり溝の中に引っ掛かって縦や水平の位置固定を行うことができ、前記防音イヤーマフの中には対称中心に向いて開口したノイズ低減チャンバが設けられ、前記防音イヤーマフのうち中心に近接した側の端面には環状の柔らかなクッションが固定的に設けられていることを特徴とするノイズの影響を下げることができる保護メガネ。
【手続補正２】
【補正対象書類名】明細書
【補正対象項目名】全文
【補正方法】変更
【補正の内容】
【発明の詳細な説明】
【技術分野】
【０００１】
本発明は安全防護技術分野を取り上げて、具体的にはノイズの影響を下げることができる保護メガネである。
【背景技術】
【０００２】
工場で作業するとき、保護具で人体を保護する必要があるが、一部の工場では眩しい光や耳障りなノイズがあるため、保護メガネをかけて防音イヤーマフをつける必要があり、しかし、同時に両者を着用すると耳が痛くなり、従って、ノイズの影響を下げることができる保護メガネが必要とされ、本願発明は保護メガネと防音イヤーマフとを一つにし、場合によって保護メガネを使用でき、また、防音イヤーマフを外へ反転させることもでき、より便利につけられる。
【先行技術文献】
【特許文献】
【０００３】
【特許文献１】中国特許出願公開第１０６７２６１２７号明細書
【発明の概要】
【発明が解決しようとする課題】
【０００４】
本発明の目的はノイズの影響を下げることができる保護メガネを提供し、それは上記の現在の技術中の問題を解決できる。
【課題を解決するための手段】
【０００５】
本発明のノイズの影響を下げることができる保護メガネは、メガネフレームを含み、前記メガネフレームの中にはレンズチャンバが上下に貫通するように設けられ、前記レンズチャンバの中には保護レンズが固定的に設けられ、前記メガネフレームの下側の左右両端には反転機構が対称的に設けられ、前記反転機構の下側には伸縮機構が設けられ、前記伸縮機構の下側には回転位置固定装置が設けられ、前記反転機構は本願発明をかけることに便利であり、また、かける時に変形しすぎて壊れることを防ぐこともでき、前記伸縮機構は前記回転位置固定装置の位置固定を解除することができ、これにより前記メガネフレームを垂直状態や水平状態に固定でき、前記反転機構は前記メガネフレームの下端面の左右両端に左右対称に設けられた固定ロッドを含み、前記固定ロッドの中には復帰チャンバが設けられ、前記復帰チャンバの中には復帰ブロックがスライドできるように設けられ、前記復帰ブロックの上端と前記復帰チャンバの上壁との間には復帰バネが固定的に連結され、前記復帰チャンバにおいて中心から離れた側にはガイドスライドチャンバが連通するように設けられ、前記ガイドスライドチャンバの中には前記復帰ブロックに固定的に連結されたガイドスライドロッドがスライドできるように設けられ、前記ガイドスライドロッドのうち中心から離れた一端が外部に伸びており、且つ前記ガイドスライドロッドのうち中心から離れた一端には仕切り板が固定的に設けられ、前記固定ロッドの下端面には固定ブロックが前後に対称的に固定的に設けられ、前記固定ブロックの間には回転ロッドが回転できるように設けられ、前記仕切り板の下端と前記回転ロッドの左側とが当接しており、前記回転ロッドは自在に内部へ反転することができ、前記回転ロッドを外部に回転させるには前記仕切り板を上へ回す必要がある。
【０００６】
更の技術プラン、前記伸縮機構は前記回転ロッドの下側に設けられた連結ロッドを含み、前記連結ロッドの中には伸縮チャンバが設けられ、前記伸縮チャンバの中には伸縮板がスライドできるように設けられ、前記伸縮板の上端と前記伸縮チャンバの上壁との間には圧縮バネが固定的に連結され、前記伸縮チャンバの上側には上方に開口した開口が連通するように設けられ、前記伸縮板の上端には伸縮ロッドが固定的に設けられ、前記伸縮ロッドの上端が前記開口を貫いて前記回転ロッドの下端に固定的に連結され、手で前記メガネフレームを持ち上げることで前記伸縮板を上昇連動させることができる。
【０００７】
更の技術プラン、前記回転位置固定装置は前記連結ロッドの下側に設けられた防音イヤーマフを含み、前記防音イヤーマフの外円周面の中には外に開口した環状回転チャンバが設けられ、前記環状回転チャンバの円周壁には環状の回転リングが回転できるように設けられ、前記連結ロッドの下端が前記回転リングの上端に固定的に連結され、前記伸縮チャンバの下壁には前記回転リングを貫いた引っ掛かりロッドチャンバが連通するように設けられ、前記引っ掛かりロッドチャンバが下方に開口しており、前記引っ掛かりロッドチャンバの中には上端が前記伸縮板の下端面に固定的に連結された引っ掛かりロッドがスライドできるように設けられ、前記環状回転チャンバの内円周壁の上端のうち円心に向くところには縦引っ掛かり溝が連通するように設けられ、前記環状回転チャンバの内円周壁の前端のうち円心に向くところには水平引っ掛かり溝が連通するように設けられ、前記引っ掛かりロッドは前記縦引っ掛かり溝や前記水平引っ掛かり溝の中に引っ掛かって縦や水平の位置固定を行うことができ、前記防音イヤーマフの中には対称中心に向いて開口したノイズ低減チャンバが設けられ、前記防音イヤーマフのうち中心に近接した側の端面には環状の柔らかなクッションが固定的に設けられている。
【発明の効果】
【０００８】
本発明は構造が簡単で、操作が便利であり、本願発明は保護メガネと防音イヤーマフとを一つにし、場合によって保護メガネを使用でき、また、防音イヤーマフを外へ反転させることもでき、より便利につけられる。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のノイズの影響を下げることができる保護メガネの内部全体構    成略図
【図２】図２は図１のＡ―Ａ方向の構成略図
【図３】図３は図１のＢの拡大略図
【図４】図４は図１のＣの拡大略図
【図５】図５は図１のＤ―Ｄ方向の構成略図
【発明を実施するための形態】
【００１１】
図１〜５を参照し、本発明のノイズの影響を下げることができる保護メガネは、メガネフレーム１１を含み、前記メガネフレーム１１の中にはレンズチャンバ１２が上下に貫通するように設けられ、前記レンズチャンバ１２の中には保護レンズ１３が固定的に設けられ、前記メガネフレーム１１の下側の左右両端には反転機構１０１が対称的に設けられ、前記反転機構１０１の下側には伸縮機構１０２が設けられ、前記伸縮機構１０２の下側には回転位置固定装置１０３が設けられ、前記反転機構１０１は本願発明をかけることに便利であり、また、かける時に変形しすぎて壊れることを防ぐこともでき、前記伸縮機構１０２は前記回転位置固定装置１０３の位置固定を解除することができ、これにより前記メガネフレーム１１を垂直状態や水平状態に固定でき、前記反転機構１０１は前記メガネフレーム１１の下端面の左右両端に左右対称に設けられた固定ロッド１４を含み、前記固定ロッド１４の中には復帰チャンバ１５が設けられ、前記復帰チャンバ１５の中には復帰ブロック１６がスライドできるように設けられ、前記復帰ブロック１６の上端と前記復帰チャンバ１５の上壁との間には復帰バネ１７が固定的に連結され、前記復帰チャンバ１５において中心から離れた側にはガイドスライドチャンバ２０が連通するように設けられ、前記ガイドスライドチャンバ２０の中には前記復帰ブロック１６に固定的に連結されたガイドスライドロッド２１がスライドできるように設けられ、前記ガイドスライドロッド２１のうち中心から離れた一端が外部に伸びており、且つ前記ガイドスライドロッド２１のうち中心から離れた一端には仕切り板２２が固定的に設けられ、前記固定ロッド１４の下端面には固定ブロック２３が前後に対称的に固定的に設けられ、前記固定ブロック２３の間には回転ロッド２４が回転できるように設けられ、前記仕切り板２２の下端と前記回転ロッド２４の左側とが当接しており、前記回転ロッド２４は自在に内部へ反転することができ、前記回転ロッド２４を外部に回転させるには前記仕切り板２２を上へ回す必要がある。
【００１２】
有益に、前記伸縮機構１０２は前記回転ロッド２４の下側に設けられた連結ロッド２５を含み、前記連結ロッド２５の中には伸縮チャンバ２６が設けられ、前記伸縮チャンバ２６の中には伸縮板２７がスライドできるように設けられ、前記伸縮板２７の上端と前記伸縮チャンバ２６の上壁との間には圧縮バネ２８が固定的に連結され、前記伸縮チャンバ２６の上側には上方に開口した開口２９が連通するように設けられ、前記伸縮板２７の上端には伸縮ロッド３０が固定的に設けられ、前記伸縮ロッド３０の上端が前記開口２９を貫いて前記回転ロッド２４の下端に固定的に連結され、手で前記メガネフレーム１１を持ち上げることで前記伸縮板２７を上昇連動させることができる。
【００１３】
有益に、前記回転位置固定装置１０３は前記連結ロッド２５の下側に設けられた防音イヤーマフ３１を含み、前記防音イヤーマフ３１の外円周面の中には外に開口した環状回転チャンバ３２が設けられ、前記環状回転チャンバ３２の円周壁には環状の回転リング３３が回転できるように設けられ、前記連結ロッド２５の下端が前記回転リング３３の上端に固定的に連結され、前記伸縮チャンバ２６の下壁には前記回転リング３３を貫いた引っ掛かりロッドチャンバ３４が連通するように設けられ、前記引っ掛かりロッドチャンバ３４が下方に開口しており、前記引っ掛かりロッドチャンバ３４の中には上端が前記伸縮板２７の下端面に固定的に連結された引っ掛かりロッド３５がスライドできるように設けられ、前記環状回転チャンバ３２の内円周壁の上端のうち円心に向くところには縦引っ掛かり溝３６が連通するように設けられ、前記環状回転チャンバ３２の内円周壁の前端のうち円心に向くところには水平引っ掛かり溝３７が連通するように設けられ、前記引っ掛かりロッド３５は前記縦引っ掛かり溝３６や前記水平引っ掛かり溝３７の中に引っ掛かって縦や水平の位置固定を行うことができ、前記防音イヤーマフ３１の中には対称中心に向いて開口したノイズ低減チャンバ３８が設けられ、前記防音イヤーマフ３１のうち中心に近接した側の端面には環状の柔らかなクッション３９が固定的に設けられている。
【００１４】
初期状態に、連結ロッド２５が縦状態にあり、メガネフレーム１１が防音イヤーマフ３１の上方に位置している。
【００１５】
かけるとき、仕切り板２２を回転ロッド２４の上方まで上へ押し、そして回転ロッド２４の下端を反対方向へ反転させ、そして手で防音イヤーマフ３１を持ち耳のところに置き、メガネフレーム１１を頭の上に置き、このとき回転ロッド２４を縦状態になるまでに内部へ反転させ、防音イヤーマフ３１で耳を包んできつく挟み、このとき仕切り板２２が復帰バネ１７の弾力により復帰し、
目を保護するとき、手でメガネフレーム１１を持ち上げ、固定ロッド１４と、回転ロッド２４と、伸縮ロッド３０とにより伸縮板２７を上へ引き、これにより引っ掛かりロッド３５を上へ移動連動させ、引っ掛かりロッド３５を縦引っ掛かり溝３６から出し、このとき手でメガネフレーム１１を持ち、メガネフレーム１１を目の前に反転させて鼻に当て、このとき引っ掛かりロッド３４と水平引っ掛かり溝３７とが連通しており、手を放し、このとき引っ掛かりロッド３４が圧縮バネ２８の弾力により水平引っ掛かり溝３７の中に引っ掛かり、
本願発明を収納するとき、直接に反対側へ防音イヤーマフ３１を反転させれば良いのである。
【００１６】
本発明の有益効果は：本発明は構造が簡単で、操作が便利であり、本願発明は保護メガネと防音イヤーマフとを一つにし、場合によって保護メガネを使用でき、また、防音イヤーマフを外へ反転させることもでき、より便利につけられる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。